(57)【要約】液体検出用ＲＦＩＤタグは、ＲＦＩＣ素子と、ＲＦＩＣ素子に接続されたアンテナ素子と、を備え、アンテナ素子は、一方端にてＲＦＩＣ素子に接続された第１アンテナ部と、第１アンテナ部の他方端に接続された第２アンテナ部とを含んでいて、第１アンテナ部と第２アンテナ部とが液体に対して膨潤性または可溶性の材料を含む接続部分で接続されており、接続部分に液体を吸収すると、接続部分の膨潤または溶解によって接続部分が開放され、接続部分に液体を吸収していない状態の通信距離または信号強度よりも通信距離または信号強度が大きくなるように構成されている。
2017065164.tif 000002
【特許請求の範囲】
【請求項１】
ＲＦＩＣ素子と、
前記ＲＦＩＣ素子に接続されたアンテナ素子と、
を備え、
前記アンテナ素子は、一方端にて前記ＲＦＩＣ素子に接続された第１アンテナ部と、前記第１アンテナ部の他方端に接続された第２アンテナ部とを含んでいて、前記第１アンテナ部と前記第２アンテナ部とが液体に対して膨潤性または可溶性の材料を含む接続部分で接続されており、前記接続部分に液体を吸収すると、前記接続部分の膨潤または溶解によって前記接続部分が開放され、前記接続部分に液体を吸収していない状態の通信距離または信号強度よりも通信距離または信号強度が大きくなるように構成されていることを特徴とする、液体検出用ＲＦＩＤタグ。
【請求項２】
前記アンテナ素子の一端は前記ＲＦＩＣ素子に接続されており、他端は開放端である、請求項１に記載の液体検出用ＲＦＩＤタグ。
【請求項３】
前記ＲＦＩＣ素子は、第１入出力端子及び第２入出力端子を備え、前記第１入出力端子に励振導体が接続されており、前記第２入出力端子に前記アンテナ素子の前記第１アンテナ部が接続されており、
前記第１アンテナ部の電気長は、前記第１入出力端子から前記励振導体の端部までの電気長より長い、請求項１又は２に記載の液体検出用ＲＦＩＤタグ。
【請求項４】
前記アンテナ素子は、前記接続部分に液体を吸収すると、前記アンテナ素子全体の電気長が前記第１アンテナ部の電気長となる、請求項１から３のいずれか一項に記載の液体検出用ＲＦＩＤタグ。
【請求項５】
前記アンテナ素子は、さらに前記第２アンテナ部と第２の接続部分で接続された第３アンテナ部を有し、前記第２の接続部分は、液体に対して膨潤性または可溶性の材料を含む、請求項１から４のいずれか一項に記載の液体検出用ＲＦＩＤタグ。
【請求項６】
前記第１アンテナ部は、液体に対して非膨潤性または不溶性の材料で構成されている、請求項１から５のいずれか一項に記載の液体検出用ＲＦＩＤタグ。
【請求項７】
おむつ用吸水材であって、
最初に吸水するとして設定された吸水スポットと、
前記吸水スポットから延在する尿流路と、
前記尿流路に沿って配置された水分検出用ＲＦＩＤタグと、
を備え、
前記水分検出用ＲＦＩＤタグは、
ＲＦＩＣ素子と、
前記ＲＦＩＣ素子に接続されたアンテナ素子と、
を備え、
前記アンテナ素子は、一方端にて前記ＲＦＩＣ素子に接続された第１アンテナ部と、前記第１アンテナ部の他方端に接続された第２アンテナ部とを含んでいて、前記第１アンテナ部と前記第２アンテナ部とが水分に対して膨潤性または可溶性の材料を含む接続部分で接続されており、前記接続部分に水分を吸収すると、前記接続部分の膨潤または溶解によって前記接続部分が開放され、前記接続部分に水分を吸収していない状態の通信距離または信号強度よりも通信距離または信号強度が大きくなるように構成されており、
前記水分検出用ＲＦＩＤタグは、前記アンテナ素子の前記接続部分を前記一端より前記吸水スポットに近い側とし、前記一端を前記吸水スポットから遠い側とするように前記尿流路に配置されている、
おむつ用吸水材。
【請求項８】
前記ＲＦＩＣ素子は、第１入出力端子及び第２入出力端子を備え、前記第１入出力端子に励振導体が接続されており、前記第２入出力端子に前記アンテナ素子の前記第１アンテナ部が接続されており、
前記第１アンテナ部の電気長は、前記第１入出力端子から前記励振導体の端部までの電気長より長い、請求項７に記載のおむつ用吸水材。
【請求項９】
前記アンテナ素子は、前記接続部分に水分を吸収すると、前記アンテナ素子全体の電気長が前記第１アンテナ部の電気長となる、請求項７又は８に記載のおむつ用吸水材。
【請求項１０】
前記アンテナ素子は、さらに前記第２アンテナ部と第２の接続部分で接続された第３アンテナ部を有し、前記第２の接続部分は、水分に対して膨潤性または可溶性の材料を含み、
前記アンテナ素子の前記第２の接続部分を前記接続部分よりも前記吸水スポットに近い側とする、請求項７から９のいずれか一項に記載のおむつ用吸水材。
【請求項１１】
前記第１アンテナ部は、水分に対して非膨潤性または不溶性の材料で構成されている、請求項７から１０のいずれか一項に記載のおむつ用吸水材。
【請求項１２】
請求項７から１１のいずれか一項に記載のおむつ用吸水材を有するおむつ。
【発明の詳細な説明】
【技術分野】
【０００１】
本発明は、液体の存在を明確に検出できる液体検出用ＲＦＩＤタグ及びこれを用いたおむつ用吸水材に関する。
【背景技術】
【０００２】
従来、液体のうち水分の存在を検出するには湿度検出用半導体センサ等の高価な部品を用いる必要があった。【０００３】
これに対して、より簡易に水分の有無を検出する無線ＩＣデバイスが提案されている（例えば、特許文献１参照）。この無線ＩＣデバイスでは、給電回路基板とアンテナとの間に絶縁材料を介在させ、湿度が上昇すると、給電回路基板とアンテナとの結合度が変化して通信可能距離が短くなることを検知して湿度を検出している。
【先行技術文献】
【特許文献】
【０００４】
【特許文献１】特許第５１８２４３１号公報
【発明の概要】
【発明が解決しようとする課題】
【０００５】
従来技術では吸水に伴って通信可能距離が短くなることを検出している。つまり、通信距離に対応する信号強度の低下を検出し、吸水に伴って信号が検出できなくなった状態を吸水状態と判断している。しかし、実使用に際しては吸水以外の要因で信号を検出できなくなることがあるため、信号が検出できなくなった状態を吸水状態と判断することは、必ずしも正確では無い。【０００６】
本発明の目的は、簡易かつ正確に吸液状態を検出できる液体検出用ＲＦＩＤタグを提供することである。
【課題を解決するための手段】
【０００７】
本発明に係る液体検出用ＲＦＩＤタグは、ＲＦＩＣ素子と、
前記ＲＦＩＣ素子に接続されたアンテナ素子と、
を備え、
前記アンテナ素子は、一方端にて前記ＲＦＩＣ素子に接続された第１アンテナ部と、前記第１アンテナ部の他方端に接続された第２アンテナ部とを含んでいて、前記第１アンテナ部と前記第２アンテナ部とが液体に対して膨潤性または可溶性の材料を含む接続部分で接続されており、前記接続部分に液体を吸収すると、前記接続部分の膨潤または溶解によって前記接続部分が開放され、前記接続部分に液体を吸収していない状態の通信距離または信号強度よりも通信距離または信号強度が大きくなるように構成されていることを特徴とする。【０００８】
本発明に係るおむつ用吸水材は、最初に吸水するとして設定された吸水スポットと、
前記吸水スポットから延在する尿流路と、
前記尿流路に沿って配置された水分検出用ＲＦＩＤタグと、
を備え、
前記水分検出用ＲＦＩＤタグは、
ＲＦＩＣ素子と、
前記ＲＦＩＣ素子に接続されたアンテナ素子と、
を備え、
前記アンテナ素子は、一方端にて前記ＲＦＩＣ素子に接続された第１アンテナ部と、前記第１アンテナ部の他方端に接続された第２アンテナ部とを含んでいて、前記第１アンテナ部と前記第２アンテナ部とが水分に対して膨潤性または可溶性の材料を含む接続部分で接続されており、前記接続部分に水分を吸収すると、前記接続部分の膨潤または溶解によって前記接続部分が開放され、前記接続部分に水分を吸収していない状態の通信距離または信号強度よりも通信距離または信号強度が大きくなるように構成されており、
前記水分検出用ＲＦＩＤタグは、前記アンテナ素子の前記接続部分を前記一端より前記吸水スポットに近い側とし、前記一端を前記吸水スポットから遠い側とするように前記尿流路に配置されている。
【発明の効果】
【０００９】
本発明に係る液体検出用ＲＦＩＤタグによれば、アンテナ素子を構成する第１アンテナ部と第２アンテナ部とが液体（例えば、水、アルコール、その他の有機液体等）に対して膨潤性または可溶性の材料を含む接続部分で接続されている。接続部分が吸液すると接続部分が開放（オープン）されて、接続部分に液体を吸収していない状態の通信距離または信号強度よりも通信距離または信号強度が大きくなる。そこで、通信距離や信号強度の増大を検出することで、簡易かつ正確に吸液状態を知ることができる。
【図面の簡単な説明】
【００１０】
【図１Ａ】実施の形態１に係る液体検出用ＲＦＩＤタグの上面図である。
【図１Ｂ】実施の形態１に係る液体検出用ＲＦＩＤタグの側面図である。
【図１Ｃ】実施の形態１に係る液体検出用ＲＦＩＤタグの等価回路図である。
【図２Ａ】実施の形態１に係る液体検出用ＲＦＩＤタグに用いるＲＦＩＣ素子の断面構造を示す概略断面図である。
【図２Ｂ】実施の形態１に係る液体検出用ＲＦＩＤタグの等価回路図である。
【図３】実施の形態１に係るおむつ用吸水材を含むおむつの構成を示す概略図である。
【図４】実施の形態１に係るおむつに含まれるおむつ用吸水材の水分検出用ＲＦＩＤタグとの通信の概要を示す概略図である。
【図５】実施の形態１に係るおむつ用吸水材を含むおむつを用いたおむつ交換方法のフローチャートである。
【図６Ａ】実施の形態２に係る液体検出用ＲＦＩＤタグの上面図である。
【図６Ｂ】実施の形態２に係る液体検出用ＲＦＩＤタグの側面図である。
【図６Ｃ】実施の形態２に係る液体検出用ＲＦＩＤタグの等価回路図である。
【図７】実施の形態２に係るおむつ用吸水材を含むおむつの構成を示す概略図である。
【図８Ａ】実施の形態３に係る液体検出用ＲＦＩＤタグの上面図である。
【図８Ｂ】実施の形態３に係る液体検出用ＲＦＩＤタグの側面図である。
【図９Ａ】実施の形態４に係る液体検出用ＲＦＩＤタグの上面図である。
【図９Ｂ】実施の形態４に係る液体検出用ＲＦＩＤタグの側面図である。
【発明を実施するための形態】
【００１１】
第１の態様に係る液体検出用ＲＦＩＤタグは、ＲＦＩＣ素子と、
前記ＲＦＩＣ素子に接続されたアンテナ素子と、
を備え、
前記アンテナ素子は、一方端にて前記ＲＦＩＣ素子に接続された第１アンテナ部と、前記第１アンテナ部の他方端に接続された第２アンテナ部とを含んでいて、前記第１アンテナ部と前記第２アンテナ部とが液体に対して膨潤性または可溶性の材料を含む接続部分で接続されており、前記接続部分に液体を吸収すると、前記接続部分の膨潤または溶解によって前記接続部分が開放され、前記接続部分に液体を吸収していない状態の通信距離または信号強度よりも通信距離または信号強度が大きくなるように構成されていることを特徴とする。
【００１２】
上記構成によれば、アンテナ素子を構成する第１アンテナ部と第２アンテナ部とが液体（例えば、水、アルコール、その他の有機液体等）に対して膨潤性または可溶性の材料を含む接続部分で接続されている。つまり、接続部分が液体を吸収していない状態では、アンテナ素子は第１アンテナ部と第２アンテナ部とで構成されている。接続部分が吸液すると接続部分が開放（オープン）されて、アンテナ素子は第１アンテナ部で構成される。第１アンテナ部および第２アンテナ部の長さを適宜調整しておく。具体的には、接続部分が吸液すると接続部分が開放されて、接続部分に液体を吸収していない状態の通信距離または信号強度よりも通信距離または信号強度が大きくなるように構成しておく。これにより、液体を吸収した状態の通信距離や信号強度を増大させることができ、これを検出することで、簡易かつ正確に吸液状態を知ることができる。
【００１３】
第２の態様に係る液体検出用ＲＦＩＤタグは、上記第１の態様において、前記アンテナ素子の一端は前記ＲＦＩＣ素子に接続されており、他端は開放端であってもよい。
【００１４】
第３の態様に係る液体検出用ＲＦＩＤタグは、上記第１又は第２の態様において、前記ＲＦＩＣ素子は、第１入出力端子及び第２入出力端子を備え、前記第１入出力端子に励振導体が接続されており、前記第２入出力端子に前記アンテナ素子の前記第１アンテナ部が接続されており、
前記第１アンテナ部の電気長は、前記第１入出力端子から前記励振導体の端部までの電気長より長くてもよい。
【００１５】
上記構成によれば、励振導体より第１アンテナ部のほうが長い一端子型タグであり、長手方向に配置しやすい。
【００１６】
第４の態様に係る液体検出用ＲＦＩＤタグは、上記第１から第３のいずれかの態様において、前記アンテナ素子は、前記接続部分に液体を吸収すると、前記アンテナ素子全体の電気長が前記第１アンテナ部の電気長となってもよい。
【００１７】
上記構成によれば、接続部分に液体を吸収することで接続部分が開放され、第２アンテナ部が無効化され、前記アンテナ素子全体の電気長が前記第１アンテナ部の電気長となる。第１アンテナの電気長を最大の信号強度が得られる電気長に設定しておくことによって、第１アンテナ部による最大の信号強度を検出することで、吸液状態を明確に判断することができる。
【００１８】
第５の態様に係る液体検出用ＲＦＩＤタグは、上記第１から第４のいずれかの態様において、前記アンテナ素子は、さらに前記第２アンテナ部と第２の接続部分で接続された第３アンテナ部を有し、前記第２の接続部分は、液体に対して膨潤性または可溶性の材料を含んでもよい。
【００１９】
上記構成によれば、接続部分を複数設けることによって、段階的に信号強度が増大することを検出でき、多段階の吸液状態を検出できる。
【００２０】
第６の態様に係る液体検出用ＲＦＩＤタグは、上記第１から第５のいずれかの態様において、前記第１アンテナ部は、液体に対して非膨潤性または不溶性の材料で構成されていてもよい。
【００２１】
上記構成によれば、第１アンテナ部は、吸液状態でも無効化されないので通信状態を維持できる。
【００２２】
第７の態様に係るおむつ用吸水材は、
最初に吸水するとして設定された吸水スポットと、
前記吸水スポットから延在する尿流路と、
前記尿流路に沿って配置された水分検出用ＲＦＩＤタグと、
を備え、
前記水分検出用ＲＦＩＤタグは、
ＲＦＩＣ素子と、
前記ＲＦＩＣ素子に接続されたアンテナ素子と、
を備え、
前記アンテナ素子は、一方端にて前記ＲＦＩＣ素子に接続された第１アンテナ部と、前記第１アンテナ部の他方端に接続された第２アンテナ部とを含んでいて、前記第１アンテナ部と前記第２アンテナ部とが水分に対して膨潤性または可溶性の材料を含む接続部分で接続されており、前記接続部分に水分を吸収すると、前記接続部分の膨潤または溶解によって前記接続部分が開放され、前記接続部分に水分を吸収していない状態の通信距離または信号強度よりも通信距離または信号強度が大きくなるように構成されており、
前記水分検出用ＲＦＩＤタグは、前記アンテナ素子の前記接続部分を前記一端より前記吸水スポットに近い側とし、前記一端を前記吸水スポットから遠い側とするように前記尿流路に配置されている。
【００２３】
上記構成によれば、アンテナ素子の第１アンテナ部と第２アンテナ部とが水分に対して膨潤性または可溶性の材料を含む接続部分で接続されている。接続部分が吸水すると接続部分が開放されて、接続部分に水分を吸収していない状態の通信距離または信号強度よりも通信距離または信号強度が大きくなる。そこで、信号強度の増大を検出することで、簡易に吸水状態を知ることができる。これによって吸水スポットから吸水される尿等の有無を明確に知ることができ、適切なおむつ交換が可能となる。
【００２４】
第８の態様に係るおむつ用吸水材は、上記第７の態様において、前記ＲＦＩＣ素子は、第１入出力端子及び第２入出力端子を備え、前記第１入出力端子に励振導体が接続されており、前記第２入出力端子に前記アンテナ素子の前記第１アンテナ部が接続されており、
前記第１アンテナ部の電気長は、前記第１入出力端子から前記励振導体の端部までの電気長より長くてもよい。
【００２５】
上記構成によれば、励振導体より第１アンテナ部のほうが長い一端子型タグであり、長手方向に配置しやすい。
【００２６】
第９の態様に係るおむつ用吸水材は、上記第７又は第８の態様において、前記アンテナ素子は、前記接続部分に水分を吸収すると、前記アンテナ素子全体の電気長が前記第１アンテナ部の電気長となってもよい。
【００２７】
上記構成によれば、接続部分に水分を吸収することで接続部分が開放され、第２アンテナ部が無効化され、前記アンテナ素子全体の電気長が前記第１アンテナ部の電気長となる。第１アンテナの電気長を最大の信号強度が得られる電気長に設定しておくことによって、第１アンテナ部による最大の信号強度を検出することで、吸水状態を明確に判断することができる。
【００２８】
第１０の態様に係るおむつ用吸水材は、上記第７から第９のいずれかの態様において、前記アンテナ素子は、さらに前記第２アンテナ部と第２の接続部分で接続された第３アンテナ部を有し、前記第２の接続部分は、水分に対して膨潤性または可溶性の材料を含み、
前記アンテナ素子の前記第２の接続部分を前記接続部分よりも前記吸水スポットに近い側としてもよい。
【００２９】
上記構成によれば、接続部分を複数設けることによって、段階的に信号強度が増大することを検出でき、多段階の吸水状態を検出できる。
【００３０】
第１１の態様に係るおむつ用吸水材は、上記第７から第１０のいずれかの態様において、前記第１アンテナ部は、水分に対して非膨潤性または不溶性の材料で構成されていてもよい。
【００３１】
上記構成によれば、第１アンテナ部は、吸水状態でも無効化されないので通信状態を維持できる。
【００３２】
第１２の態様に係るおむつは、上記第７から第１１のいずれかの態様に係るおむつ用吸水材を有する。
【００３３】
上記構成によれば、おむつ本体を取り替えることなく、吸水材だけを取り替えるタイプのおむつにも対応することができる。
【００３４】
以下、実施の形態に係る液体検出用ＲＦＩＤタグ及びおむつ用吸水材について、添付図面を参照しながら説明する。なお、図面において実質的に同一の部材については同一の符号を付している。
【００３５】
（実施の形態１）
図１Ａは、実施の形態１に係る液体検出用ＲＦＩＤタグ１０の上面図であり、図１Ｂは、側面図であり、図１Ｃは、等価回路図である。
実施の形態１に係る液体検出用ＲＦＩＤタグ１０は、ＲＦＩＣ素子１と、ＲＦＩＣ素子１に接続されたアンテナ素子４と、を備える。アンテナ素子４は、一方端にて前記ＲＦＩＣ素子に接続された第１アンテナ部５ａと、第１アンテナ部５ａの他方端に接続された第２アンテナ部５ｂとを含んでいる。第１アンテナ部５ａと第２アンテナ部５ｂとは、液体に対して膨潤性または可溶性の材料を含む接続部分７で接続されている。接続部分７は、液体を吸収すると膨潤する吸液膨潤材（例えば、吸水性ポリマー）６を有する。また、液体検出用ＲＦＩＤタグ１０は、ＲＦＩＣ素子１に接続された励振導体３を有してもよい。この励振導体３は、アンテナ素子４の第１アンテナ部５ａより短く、アンテナ素子４と反対側に延在する。
【００３６】
この液体検出用ＲＦＩＤタグ１０によれば、アンテナ素子４の第１アンテナ部５ａと第２アンテナ部５ｂとを接続する接続部分７が液体に対して膨潤性または可溶性の材料を有している。そのため、接続部分７に液体を吸収すると接続部分７が開放され、接続部分７に液体を吸収していない状態の通信距離または信号強度よりも通信距離または信号強度が大きくなるように構成されている。つまり、接続部分７が吸液することで、第２アンテナ部５ｂが無効化され、アンテナ素子４全体の電気長が第１アンテナ部５ａの電気長となる。この液体検出用ＲＦＩＤタグ１０では、図１Ａに示すように、第１アンテナ部５ａの電気長を使用するキャリア信号のほぼλ／２と設定し（λはキャリア信号の波長）、第２アンテナ部５ｂの電気長をほぼλ／４と設定している。つまり、吸液前のアンテナ素子４は、第１アンテナ部５ａ（λ／２）と第２アンテナ部（λ／４）とが接続されているので通信距離及び信号強度は比較的小さい。吸液後のアンテナ素子４では、接続部分７が開放され、第１アンテナ部５ａのみとなるので、比較的大きな通信距離及び信号強度が得られる。そこで、通信距離や信号強度の増大を検出することで、液体検出用ＲＦＩＤタグ１０の吸液状態を明確に知ることができる。
【００３７】
この液体検出用ＲＦＩＤタグ１０の上記効果をさらに説明すれば、吸液していないときは、図１Ａでは、アンテナ素子４は、第１アンテナ部５ａ（λ／２）と第２アンテナ部（λ／４）とを含むので、その利得が最大ではない。そのため、通信距離が短く、または信号強度が小さくなる。一方、吸液したときには接続部分７が開放されて第１アンテナ部５ａのみとなり、利得が最大になるため、通信距離が大きくなる、あるいは、信号強度が大きくなる。そこで、通信距離の増加又は信号強度の増大を検出すれば吸液状態を明確に検出できる。
従来、通信距離の減少や信号強度の減少を検出する場合、たとえば、タグ側アンテナとリーダライタ側アンテナとの位置関係が変わったり、各アンテナの周囲環境が変わってしまったりすることで、通信状態が変わってしまい、その変化は明確ではないため、吸液状態を明確に判断できなかった。この液体検出用ＲＦＩＤタグ１０では、従来とは逆に、吸液状態での通信距離の増加又は信号強度の増大を検出できるので、明確に吸液状態を知ることができる。
なお、ここで液体とは、例えば、水、アルコール、その他の有機系液体であってもよい。
【００３８】
以下に、この液体検出用ＲＦＩＤタグ１０の構成要素について説明する。
【００３９】
＜ＲＦＩＣ素子＞
図２Ａは、ＲＦＩＣ素子１の断面構造を示す概略断面図であり、図２Ｂは、ＲＦＩＤタグ１０の等価回路図である。ＲＦＩＣ素子１は、ＲＦＩＤ信号を処理するＲＦＩＣチップ１１と、ＲＦＩＣチップ１１を実装する多層基板１５とを有するＲＦＩＣパッケージとして構成される。ＲＦＩＣチップ１１は、メモリ回路や信号処理回路を内蔵し、かつエポキシ樹脂製の封止樹脂等によって封止されている。ＲＦＩＣチップ１１は、導電性接合材１２と端子電極１３ａ、１３ｂとを介して給電回路を構成する多層基板１５に実装されている。給電回路は、多層基板状に形成してもよい。
また、多層基板１５は、ＬＴＣＣ等のセラミックを材料からなるセラミック多層基板であって、Ｌ１及びＬ２等のＬパターン及びＣ１、Ｃ２及びＣＩＣ等のＣパターンからなる給電回路が内蔵されている。ＣＩＣは、ＲＦＩＣチップ１１の浮遊容量である。給電回路によって共振回路が形成されており、その共振周波数はキャリア周波数に対応する。このように給電回路を設けることによって、アンテナ素子４の電気長が変化してもキャリア周波数の中心周波数は大きく変化しないようにすることができる。多層基板１５は、励振導体３及びアンテナ素子４と端子電極１６ａ、１６ｂを介して接続する。
【００４０】
また、多層基板１５は、ＬＴＣＣ等のセラミックを材料からなるセラミック多層基板であって、Ｌパターン及びＣパターン等からなる給電回路が内蔵されている。給電回路によって共振回路が形成されており、その共振周波数はキャリア周波数に実質的に相当する。このような給電回路を設けることによって、アンテナ素子４の電気長が変化してもキャリア信号の中心周波数は大きく変化しないようにすることができる。例えば、ＵＨＦ帯のキャリア信号の共振周波数を設定できる。なお、通常のＲＦＩＤタグでは、空間への電波の放射（空間からの電波の受取り）、中心周波数の決定、インピーダンス整合（広帯域化）等は、アンテナ素子４が担っている。これに対して、上記給電回路では、中心周波数の決定やインピーダンス整合や広帯域化は、給電回路が担い、空間への電波の放射（空間からの電波の受取り）をアンテナ素子４が担う。つまり、アンテナ素子４の電気長が変わっても、通信距離や受信信号強度は変わるが、インピーダンス整合や中心周波数の変動は実質的に無く、信号読取は可能である。
【００４１】
＜励振導体＞
ＲＦＩＣ素子１と、励振導体３とは、例えば、図１Ｂでは第１入出力端子２ａによって直接接続されているがこれに限られない。例えば、ＲＦＩＣ素子１と励振導体３とは、直接接続でなく、容量結合、磁界結合等のいずれの結合をしていてもよい。
励振導体３は、通常のアンテナ素子に用いられるものであれば使用でき、例えば、銅箔、銅板、銅めっき膜、金箔、金板、金めっき膜、アルミ箔等の金属材料を用いることができる。材料は上記の例に限られず、通常使用されるものであれば使用できる。
なお、上記の通り、励振導体３は、アンテナ素子４の第１アンテナ部５ａに比べて短い。
【００４２】
＜アンテナ素子＞
アンテナ素子４は、第１アンテナ部５ａと第２アンテナ部５ｂとを備える。第１アンテナ部５ａと第２アンテナ部５ｂとは、吸液膨潤材６を介した接続部分７によって接続されている。この接続部分７では、第１アンテナ部５ａと第２アンテナ部５ｂとは吸液膨潤材６を介して容量結合している。
第１アンテナ部５ａは、その電気長を使用するキャリア信号のλ／２に相当する長さと設定し、第２アンテナ部５ｂは、その電気長を使用するキャリア信号のλ／４に相当する長さと設定している。つまり、第１アンテナ部５ａは、利得が最大になるように設計してある。一方、吸液前のアンテナ素子４は、第１アンテナ部５ａと第２アンテナ部５ｂとが接続されており、利得が比較的小さくなるように設計している。例えば、第１アンテナ部５ａと第２アンテナ部５ｂとを接続する接続部分７の吸水性ポリマー６が吸水すると、吸水性ポリマー６が膨潤して第１アンテナ部５ａと第２アンテナ部５ｂとの間の距離が大きくなって、その間の容量値が小さくなる。その結果、第１アンテナ部５ａと第２アンテナ部５ｂとを接続する接続部分７が開放され、アンテナ素子４の電気長は、第１アンテナ部５ａの電気長となる。つまり、アンテナ素子４の電気長は、３λ／４相当であることが好ましく、第１アンテナ部の電気長はλ／２相当であることが好ましい。なお、上記のようなＲＦＩＣパッケージを利用すれば、吸液状態でないときでも比較的近距離の通信は可能であるため、非吸液状態での管理も可能であって、たとえばＲＦＩＤタグの通信特性の検査工程やＲＦＩＤタグ付き物品（おむつ）の在庫管理などにも利用できる。
また、ＲＦＩＣ素子１と、アンテナ素子４とは、例えば、図１Ｂでは第２入出力端子２ｂによって直接接続されているが、これに限られない。例えば、ＲＦＩＣ素子１とアンテナ素子４とは、直接接続でなく、容量結合、磁界結合等のいずれの結合をしていてもよい。なお、「アンテナ素子の電気長」は、第１アンテナ部と第２アンテナ部の物理的長さの合計ではなく、第１アンテナ部と第２アンテナ部との間のキャパシタンスや給電回路のインダクタンスやキャパシタンスを含めた電気長である。同様に、「第１アンテナ部の電気長」は、第１アンテナ部の物理的長さではなく、給電回路のインダクタンスやキャパシタンスを含めた電気長である。
【００４３】
＜第１アンテナ部、第２アンテナ部＞
アンテナ素子４を構成する第１アンテナ部５ａと第２アンテナ部５ｂとは、通常のアンテナ素子に用いられる銅箔、銅板、銅めっき膜、金箔、金板、金めっき膜、アルミ箔等の金属材料を用いることができる。材料は上記の例に限られず、通常使用されるものであれば使用できる。
なお、第1アンテナ部５ａは、液体に対して非膨潤性または不溶性の材料で構成されていることが好ましい。これによって、第１アンテナ部５ａは、吸液状態でもアンテナとしての形状や特性を保ち、無効化されないので通信状態を維持できる。
一方、第２アンテナ部５ａは、後述する実施の形態４に示すように、例えば、液体溶解性の基材（例えば、ティッシュペーパー、トイレットペーパー等のパルプ材を紙状に成形した水溶紙、ポリアクリル酸やポリエチレンオキシド等の水溶性ポリマー）上に導電性インクでアンテナパターンを描いたものであってもよい。これによって、吸液時に第２アンテナ部５ａ自体が液体（例えば、水）に溶解し、無効化される。
【００４４】
＜吸液膨潤材＞
吸液膨潤材６、６ａ、６ｂとしては、例えば高分子吸水材（アクリル系のポリマー系吸水材）等を使用できる。また、無機系の吸液膨潤材を用いることもできる。吸液膨潤材としては、膨潤の程度が大きいことが好ましい。特に、吸液前に比べて吸液後では１０倍以上に膨張することが好ましく、２０倍以上に膨張することがさらに好ましい。
なお、この液体検出用ＲＦＩＤタグ１０では、接続部分７として第１アンテナ部５ａと第２アンテナ部５ｂとが吸液膨潤材６を介して容量結合している場合を挙げたが、これに限られない。例えば、後述する実施の形態３のように液体溶解性の電極を接続部分としてもよい。また、実施の形態４のように第２アンテナ部５ｂの全体を液体溶解性の電極としてもよい。
【００４５】
＜一端子型タグ＞
この液体検出用ＲＦＩＤタグ１０としては、通常の両側のアンテナが同じ長さのダイポール型ではなく、励振導体３よりもアンテナ素子４が長い一端子型タグを用いている。この一端子型タグの詳細は、例えば、国際出願公開ＷＯ２０１５／１１１４６６号パンフレット、ＷＯ２０１２／０９３５４１号パンフレット、ＷＯ２０１２／１１７８４３号パンフレットに記載している通りである。
通常の対称型のダイポール型アンテナでは、中心の給電点で電圧ゼロ、電流分布最大となり、低インピーダンスで実現できる。一方、この一端子型タグでは、左右の励振導体３とアンテナ素子４とはアンバランスな長さを有し、給電点で電圧ゼロとならず、電流分布も低い状態であり、高インピーダンスとなる。このため通常であればインピーダンス不整合によって電力が伝わらなくなる。これに対して、この一端子型タグでは、上記ＲＦＩＣ素子１を用いているので、高インピーダンスに対応することができ、主アンテナ素子が一本であるにもかかわらず、電力を伝えることができる。
また、アンテナ素子４の第１アンテナ部５ａの電気長が励振導体３よりも長いので、吸液が一軸方向に沿って進行する流路に沿って長尺状のアンテナ素子４を配置することで、吸液状態を検出しやすくなる。この場合に、液体検出に寄与しない励振導体３の長さを短くできる。ただし、上記のような一端子型タグに限定されるものではなく、ダイポール型タグを利用してもよいし、ループ型タグを利用してもよい。
【００４６】
＜アンテナ素子の吸液による一部無効化と電気長の変化＞
まず、吸液膨潤材６が吸液していない状態では、第１アンテナ部５ａと第２アンテナ部５ｂとは、接続部分７を介して容量結合している（図１Ａ）。この場合のアンテナ素子４の物理的な長さは２２ｃｍである。次に、吸液膨潤材６が吸液すると、第１アンテナ部５ａと第２アンテナ部５ｂとの間の容量値が小さくなり、接続部分７は開放され、第２アンテナ部５ｂはアンテナ素子として実質的に機能していないとみなすことができる。つまり、第２アンテナ部５ｂは、無効化されたものとみなされ、アンテナ素子４の物理的な長さＬは、第１アンテナ部５ａの物理的な長さ、１４ｃｍとなる。
【００４７】
次に、この液体検出用ＲＦＩＤタグ１０のアンテナ素子の物理的長さ（アンテナ長）と読取距離との関係の一例を表１に示す。
【表１】
2017065164.tif 000003
【００４８】
この液体検出用ＲＦＩＤタグ１０は、上記のように一端子型タグであって、キャリア周波数８６５ＭＨｚの場合には約１４ｃｍ（電気長λ／２に相当）のアンテナ長で最大の読取距離となる。一方、約２２ｃｍ（電気長３λ／４に相当）のアンテナ長で通信距離が極小となる。キャリア周波数９１５ＭＨｚの場合には約１３ｃｍ（電気長λ／２に相当）のアンテナ長で最大の読取距離となる。一方、約２２〜２３ｃｍ（電気長３λ／４に相当）のアンテナ長で通信距離が極小となる。
これに対して、キャリア周波数８６５ＭＨｚの場合、アンテナ長が２２ｃｍから短くなるにつれて読取距離が長くなる。読取距離は、液体検出用ＲＦＩＤタグ１０とリーダとの距離を変化させて読み取り限界となる距離を調べることによって検出できるが、その検出には時間を要する。これに対して、読取距離が変化すると、一定距離での信号強度自体も変化する。そこで、一定距離での信号強度の増大を調べることで簡易的に読取距離の増加を検出し、アンテナ長の変化を検出できる。これによってアンテナ長が短くなったことを検出でき、この液体検出用ＲＦＩＤタグ１０の吸液膨潤材６が吸液したことを明確に知ることができる。つまり、従来の信号強度が小さくなることを検出する場合よりも、信号強度の増大を検出することで、吸液状態を明確に知ることができる。
具体的には、受信信号強度（RSSI；Received Signal Strength Indicator）に閾値を設けることで、吸液状態を明確に判別することができる。
【００４９】
なお、各アンテナ素子４ごとにアンテナ長と読取距離との関係はそれぞれ異なる。つまり、各アンテナ素子４ごとに表１の関係は異なる。そこで、あらかじめ得られたアンテナ長と読取距離との関係に基づいて、アンテナ長の減少と読取距離（信号強度）の増大とが相関するように最初のアンテナ長を設定しておく。具体的には、表１の場合、キャリア周波数が８６５ＭＨｚの場合には、アンテナ長が短くなるにつれて読取距離が長くなるように、最初のアンテナ長を２２ｃｍ前後の２１ｃｍ〜２３ｃｍの範囲に設定しておくことが好ましい。キャリア周波数が９１５ＭＨｚの場合にも、最初のアンテナ長を２２ｃｍ前後の２１ｃｍ〜２２ｃｍの範囲に設定しておくことが好ましい。
【００５０】
次に、上記水分検出用ＲＦＩＤタグ１０を用いたおむつ用吸水材について説明する。
＜おむつ用吸水材＞
図３は、実施の形態１に係るおむつ用吸水材２２を含むおむつ２０の構成を示す概略図である。このおむつ用吸水材２２は、最初に吸水するとして設定された吸水スポット２４と、吸水スポット２４から延在する尿流路２６と、尿流路２６に沿って配置された水分検出用ＲＦＩＤタグ１０と、を備える。この水分検出用ＲＦＩＤタグ１０は、上記水分検出用ＲＦＩＤタグ１０と同様であって、ＲＦＩＣ素子１と、一端がＲＦＩＣ素子１に接続され、他端が開放端であるアンテナ素子４と、を備える。アンテナ素子４は、一端と他端との間で第１アンテナ部５ａと第２アンテナ部５ｂとが水分に対して膨潤性または可溶性の材料を含む接続部分７で接続されている。接続部分７は、水分を吸収すると膨潤する吸水膨潤材（例えば、吸水性ポリマー）６を有する。また、水分検出用ＲＦＩＤタグ１０は、アンテナ素子４の接続部分７を一端より吸水スポット２４に近い側とし、一端を吸水スポット２４から遠い側とするように尿流路２６に配置されている。具体的には、水分検出用ＲＦＩＤタグ１０は、接続部分７を吸水スポット２４に対向させて、尿流路２６に沿って配置されている。
このおむつ用吸水材２２は、おむつ２０の一部を構成するようにしてもよい。あるいは、このおむつ用吸水材２２は、おむつ２０本体を取り替えることなく、おむつ２０の防水材２８の上に配置する取り替え用吸水材として使用してもよい。
【００５１】
このおむつ用吸水材２２をおむつ２０に装着して、読取距離に対応する信号強度の増大を検出することで、水分検出用ＲＦＩＤタグ１０のアンテナ素子４のアンテナ長の変化を知ることができる。その結果、接続部分７の吸水状態を明確に知ることができる。これによって、吸水スポット２４から吸水される尿等の有無を明確に知ることができ、適切なおむつ交換が可能となる。
【００５２】
以下に、このおむつ用吸水材２２の構成要素について説明する。
【００５３】
＜水分検出用ＲＦＩＤタグ＞
水分検出用ＲＦＩＤタグ１０は、上記液体検出用ＲＦＩＤタグ１０と同様のものであって、特に、液体のうちの水分を検出するものであるので、その構成の詳細についての説明を省略する。
水分検出用ＲＦＩＤタグ１０は、図３では吸水材２２の尿流路２６に沿って設けられているが、これに限られない。水分検出用ＲＦＩＤタグ１０は、例えば、吸水材２２と防水材２８の間に設けられていてもよい。また、吸水材２２が多層構造の場合はその間に設けられていてもよい。吸水材２２の表面に表面材（図示せず）が配されている場合は、表面材と吸水材２２との間に設けられていてもよい。
【００５４】
＜吸水材＞
吸水材２２は、おむつ２０に用いるおむつ用吸水材であって、高分子吸水材等を配置した吸水材を使用できる。また、吸水スポット２４とは、おむつ２０に用いた場合に尿を最初に吸水するエリアを意味している。そのため、おむつ２０の装着状況や使用者の性別によって実際の尿が最初に吸水されるエリアと、設定された吸水スポット２４とがずれる場合がある。ここで用いる水分検出用ＲＦＩＤタグ１０は、吸水スポット２４から尿流路２６に沿って配置する。そこで、設定された吸水スポット２４と、実際の尿が最初に吸水されるエリアとのずれを可能なかぎり小さくなるように、吸水スポット２４を設定しておくことが好ましい。このため、使用者の性別ごとに対応する位置におむつ用吸水材２２を配置して、設定された吸水スポット２４と、実際の尿が最初に吸水されるエリアとが対応するようにすることが好ましい。
【００５５】
＜防水材＞
防水材２８は、おむつ２０の外面を濡らさないようにするために設けられるものであれば使用できる。
【００５６】
＜おむつ＞
おむつ２０は、乳幼児用のおむつ、成人用の尿漏れ用パンツ、尿漏れ用パッド、介護用パンツ、介護用おむつ等のいずれであってもよい。また、使用者の年齢、性別は限定されない。
【００５７】
＜おむつ交換方法＞
図５は、図１の水分検出用ＲＦＩＤタグ１０を有するおむつ用吸水材２２を含むおむつ２０におけるおむつ交換のフローチャートである。
（１）水分検出用ＲＦＩＤタグ１０を装着したおむつ２０を要介護者が装着するか、又は装着させる（Ｓ１１）。
（２）おむつ交換の定期巡回時に、介護者が要介護者のおむつ２０に対して、例えば、一定距離に配置したスマートフォン合体型のリーダ３０によって、水分検出用ＲＦＩＤタグ１０の読み取りを行う（Ｓ１２）。
（３）水分検出用ＲＦＩＤタグ１０との通信における信号強度がしきい値以上か判断し（Ｓ１３）、信号強度がしきい値未満であれば（ＮＯ）、水分検出用ＲＦＩＤタグ１０の吸水膨潤材６は吸水していないことを示している。つまり、おむつ２０の中にはまだ水分は存在しないということであり、おむつ交換は行わず（Ｓ１４）、定期巡回時のＲＦＩＤタグ１０の読み取り（Ｓ１２）にもどる。
一方、水分検出用ＲＦＩＤタグ１０との通信における信号強度がしきい値以上である場合（ＹＥＳ）には、吸水膨潤材６が吸水し、接続部分７が開放されている。つまり、第２アンテナ部５ｂが無効化され、アンテナ素子４の電気長は第１アンテナ部５ａのアンテナ長となっていることを意味している。この場合、おむつ２０の中に水分、つまり小便又は大便等が存在することになる。そこで、次のステップＳ１７に移る。
【００５８】
（４）介護者が要介護者のおむつ２０を除去し（Ｓ１５）、要介護者が水分検出用ＲＦＩＤタグ１０を装着した新しいおむつ２０を装着するか、又は、装着させる（Ｓ１６）。
（５）おむつ交換直後におむつ２０に対して一定距離に配置したリーダ３０によって、水分検出用ＲＦＩＤタグ１０の読み取りを行う（Ｓ１７）。その後、水分検出用ＲＦＩＤタグ１０との通信における信号強度がしきい値以上か判断するステップＳ１３に移行する。このようにおむつ交換直後に水分検出用ＲＦＩＤタグ１０の読み取りを行うことによって、水分検出用ＲＦＩＤタグ１０の初期不良を検出できる。この場合には、おむつ交換が行われてもフローは終了しない。
なお、おむつ交換直後の水分検出用ＲＦＩＤタグ１０の読み取り（Ｓ１７）を行わず、定期巡回時のＲＦＩＤタグ１０の読み取り（Ｓ１２）にもどるようにしてもよい。つまり、おむつ交換直後の水分検出用ＲＦＩＤタグ１０の読み取りを省略してもよい。
以上によって、スマートフォン合体型のリーダ３０を用いた定期巡回によるおむつ交換を行うことができる。また、このフローチャートでは、実際の状態に合わせておむつ交換を必要な回数だけ繰り返して行うことができる。
【００５９】
ここでは水分検出用ＲＦＩＤタグ１０からの信号強度の増大を検出して、おむつ２０の濡れ状態をより明確に把握でき、おむつ交換の要否をより確実に判断できる。なお、例えば、おむつ２０内の水分状態の表示の際に、おむつ２０の濡れ状態を視覚化して表示してもよい。例えば、おむつ２０の濡れ状態を黄色、赤色等によって表示して、おむつ交換の必要性を把握しやすくしてもよい。
【００６０】
上記のように実施の形態１に係る水分検出用ＲＦＩＤタグ１０をおむつ２０に装着して、水分を検出できるので、小便又は大便、あるいは汗等による濡れ状態を検知できる。また、水分検出用ＲＦＩＤタグ１０を用いるので、湿度検出用半導体センサのような高価な部品を用いる必要がなく、安価に構成できる。また、構成自体がシンプルなので、信頼性も高い。なお、水分検出用ＲＦＩＤタグ１０の吸水膨潤材６は、その吸水性がおむつ２０の吸水性と同等か高い方が好ましい。吸水膨潤材６の吸水性がおむつ２０より低いと水分の検出性能が低下する。
【００６１】
（実施の形態２）
＜液体検出用ＲＦＩＤタグ＞
図６Ａは、実施の形態２に係る液体検出用ＲＦＩＤタグ１０ａの上面図である。図６Ｂは、図６Ａの側面図である。図６Ｃは、この水分検出用ＲＦＩＤタグ１０ａの等価回路図である。
この液体検出用ＲＦＩＤタグ１０ａは、実施の形態１に係る液体検出用ＲＦＩＤタグ１０と対比すると、アンテナ素子４において、さらに第２アンテナ部５ｂと第２の接続部分７ｂで接続された第３アンテナ部５ｃを有する点で相違する。この第２の接続部分７ｂは、液体に対して膨潤性または可溶性の材料を含んでいる。この液体検出用ＲＦＩＤタグ１０ａは、複数の接続部分７ａ、７ｂを有するので、段階的に信号強度が増大することを検出でき、多段階の吸液状態を検出できる。
【００６２】
なお、第２アンテナ部５ｂと第３アンテナ部５ｃとは、それぞれキャリア周波数のλ／８の電気長を有する。つまり、第２アンテナ部５ｂと第３アンテナ部５ｃとを合わせた電気長がλ／４となるように設定している。これによって、吸液時にまず第２の接続部分７ｂが開放され、次いで第１の接続部分７ａが開放される。この場合に、電気長が２２ｃｍから段階的に短くなって、それに伴って信号強度が段階的に増大するように構成できる。
つまり、アンテナ素子４の電気長を上記のように設計しておくことによって、吸液の進行に伴う信号強度の単調増加と、段階的な吸液状態とを一義的に対応させることができる。
具体的には、第２の接続部分７ｂが開放されると、第３アンテナ部５ｃが無効化され、アンテナ素子４の電気長は、第１アンテナ部５ａの電気長と第２アンテナ部５ｂの電気長との合計となる。第１の接続部分７ａが開放されると、第２アンテナ部５ｂが無効化され、アンテナ素子４の電気長は、第１アンテナ部５ａの電気長となる。
【００６３】
＜おむつ用吸水材＞
図７は、実施の形態２に係るおむつ用吸水材２２ａを含むおむつ２０ａの構成を示す概略図である。このおむつ用吸水材２２ａは、実施の形態１に係るおむつ用吸水材２２と対比すると、水分検出用ＲＦＩＤタグ１０ａが第２の接続部分を介して接続された第３アンテナ部５ｃをさらに備えている点で相違する。また、吸水スポット２４に対して、アンテナ素子４の他端が近い側となるように配置している点で相違する。なお、その他の点では実質的に実施の形態１に係るおむつ用吸水材２２ａと同様であるので説明を省略する。
このおむつ用吸水材２２ａでは、この水分検出用ＲＦＩＤタグ１０ａを用いているので、複数の接続部分７ａ、７ｂを有するので、段階的に信号強度が増大することを検出でき、多段階の吸水状態を検出できる。
【００６４】
具体的には、吸水スポット２４にはアンテナ素子４の他端を近い側となるように配置し、吸水スポット２４からアンテナ素子４の他端、第２の接続部分７ｂ、第１の接続部分７ａ、一端の順に尿流路２６に沿って配置している。吸水スポット２４から吸水された尿等の水分は尿流路２６に沿って流れ、まず第２の接続部分７ｂに達し、その後、第１の接続部分７ａに達する。そこで第２の接続部分７ｂ、第１の接続部分７ａの順に吸水が行われ、段階的な吸水を検出できる。
【００６５】
（実施の形態３）
図８Ａは、実施の形態３に係る液体検出用ＲＦＩＤタグ１０ｂの上面図であり、図８Ｂは、側面図である。この液体検出用ＲＦＩＤタグ１０ｂは、実施の形態１に係る液体検出用ＲＦＩＤタグ１０と対比すると、第１アンテナ部５ａと第２アンテナ部５ｂとが水に対する溶解性を持った電極８を含む接続部分７ｃを介して接続されている点で相違する。具体的には、液体溶解性の電極８は、例えば、液体溶解性の基材９（例えば、ティッシュペーパー等）上に導電性インクで描いたものであってもよい。接続部分７ｃが吸液すると、液体溶解性基材９及び液体溶解性の電極８が溶けて、第１アンテナ部５ａと第２アンテナ部５ｂとの接続部分７ｃが開放され、アンテナ素子４の電気長は、第１アンテナ部５ａの電気長となる。
なお、液体溶解性の基材９としては、ティッシュペーパーを挙げたがこれに限られない。例えば、トイレットペーパー等の水溶紙であれば使用できる。
【００６６】
（実施の形態４）
図９Ａは、実施の形態４に係る液体検出用ＲＦＩＤタグ１０ｃの上面図であり、図９Ｂは、側面図である。この液体検出用ＲＦＩＤタグ１０ｃは、実施の形態１に係る液体検出用ＲＦＩＤタグ１０と対比すると、第２アンテナ部５ｂは、液体に対する溶解性を持った電極で構成されている点で相違する。具体的には、第２アンテナ部５ｂは、例えば、液体溶解性の基材９（例えば、ティッシュペーパー等）上に導電性インクで描いたものであってもよい。この場合、接続部分７ｄが吸液すると、液体溶解性の基材９及び液体溶解性の電極からなる第２アンテナ部５ｂ自体が溶けるので、第２アンテナ部５ｂは無効化され、アンテナ素子４の電気長は、第１アンテナ部５ａの電気長となる。
なお、液体溶解性の基材９としては、ティッシュペーパーを挙げたがこれに限られない。例えば、トイレットペーパー等の水溶紙であれば使用できる。
【００６７】
なお、上記では、液体検出用ＲＦＩＤタグの用途例として、おむつ用吸水材に装着し、これを有するおむつの用途例を挙げたが、上記用途例に限定されるものではない。例えば、水道管の外側に液体検出用ＲＦＩＤタグを貼り付けておき、水漏れを検出する、水漏れ検出用のＲＦＩＤタグとしても使用できる。
【００６８】
液体検出用ＲＦＩＤタグを使用する周波数帯としては、ＬＦ帯、ＨＦ帯、ＵＨＦ帯、ＳＨＦ帯等のいずれの帯域であってもよい。また、液体検出用ＲＦＩＤタグは、いわゆるタグ機能を有したものに限定されるわけではなく、リーダライタ機能を有したもの等、他の機能を持っていてもよい。
【００６９】
なお、本開示においては、前述した様々な実施の形態のうちの任意の実施の形態を適宜組み合わせることを含むものであり、それぞれの実施の形態が有する効果を奏することができる。
【産業上の利用可能性】
【００７０】
本発明に係るこの液体検出用ＲＦＩＤタグによれば、アンテナ素子の第１アンテナ部と第２アンテナ部とが液体（例えば、水、アルコール、その他の有機液体等）に対して膨潤性または可溶性の材料を含む接続部分で接続されている。接続部分が吸液すると接続部分が開放されて、接続部分に液体を吸収していない状態の通信距離または信号強度よりも通信距離または信号強度が大きくなる。そこで、信号強度の増大を検出することで、簡易に吸液状態を知ることができる。
【符号の説明】
【００７１】
１  ＲＦＩＣ素子
２ａ  第１入出力端子
２ｂ  第２入出力端子
３  励振導体
４  アンテナ素子
５ａ  第１アンテナ部
５ｂ  第２アンテナ部
５ｃ  第３アンテナ部
６、６ａ、６ｂ、６ｃ  吸液性膨潤材
７、７ａ、７ｂ、７ｃ、７ｄ  接続部分
８  液体溶解性電極
９  液体溶解性基材
１０、１０ａ、１０ｂ、１０ｃ  液体検出用ＲＦＩＤタグ（水分検出用ＲＦＩＤタグ）
１１  ＲＦＩＣチップ
１５  多層基板
１６ａ、１６ｂ  端子電極
２０、２０ａ  おむつ
２２、２２ａ  吸水材
２４  吸水スポット
２６  尿流路
２８  防水材
３０  ＲＦＩＤリーダ
【図１Ａ】
2017065164.tif 000004
【図１Ｂ】
2017065164.tif 000005
【図１Ｃ】
2017065164.tif 000006
【図２Ａ】
2017065164.tif 000007
【図２Ｂ】
2017065164.tif 000008
【図３】
2017065164.tif 000009
【図４】
2017065164.tif 000010
【図５】
2017065164.tif 000011
【図６Ａ】
2017065164.tif 000012
【図６Ｂ】
2017065164.tif 000013
【図６Ｃ】
2017065164.tif 000014
【図７】
2017065164.tif 000015
【図８Ａ】
2017065164.tif 000016
【図８Ｂ】
2017065164.tif 000017
【図９Ａ】
2017065164.tif 000018
【図９Ｂ】
2017065164.tif 000019
【国際調査報告】
2017065164.tif 000020
2017065164.tif 000021
2017065164.tif 000022
2017065164.tif 000023